(57)【要約】自動車の照明装置（１４）を自動的に切り換えるためのセンサユニット（１０）を提案する。このセンサユニットは少なくとも１つの感光センサ（１６）を有する。このセンサの前にはフィルタ素子（２６）が設けられている。ここでこのフィルタ素子（２６）は赤外光をフィルタリング除去する。さらにセンサユニット（１０）の反応点を改善する結合媒体（２２）並びに、センサユニット（１０）の反応点を改善する結合媒体（２２）およびフィルタの使用を提示する。
2004532766.tif 000002
【特許請求の範囲】
【請求項１】
特に自動車の照明装置（１４）を自動的に切り換えるためのセンサユニット（１０）であって、
当該センサユニットは、当該センサユニット（１０）の周囲の明るさを検出する少なくとも１つの感光センサ（１６）を有している形式のものにおいて、
赤外光の影響を補償する手段が設けられている、
ことを特徴とする、照明装置を自動的に切り換えるためのセンサユニット。
【請求項２】
前記センサ（１６）の前に、赤外光をフィルタリング除去するフィルタ素子（２６）が設けられている、請求項１記載のセンサユニット。
【請求項３】
前記フィルタ素子（２６）は、７５０ナノメートルより長い波長を有する光をフィルタリング除去する、請求項２記載のセンサユニット。
【請求項４】
前記フィルタ素子（２６）は接着特性を有している、請求項２または３記載のセンサユニット。
【請求項５】
前記フィルタ素子（２６）はレンズ特性を有している、請求項２から４までのいずれか１項記載のセンサユニット。
【請求項６】
種々異なる方向からの光を検出する複数のセンサ（１６）が設けられている、請求項１から５までのいずれか１項記載のセンサユニット。
【請求項７】
前記センサ（１６）の前に光導電体（１８）が設けられており、
当該光導電体は結合媒体（２２）によってプレート（２４）上に固定可能であり、
当該プレート（２４）または当該結合媒体（２２）は赤外光、特に７５０ナノメートルより長い波長を有する光をフィルタリング除去する、請求項１から６までのいずれか１項記載のセンサユニット。
【請求項８】
センサユニット（１０）、特に請求項１から７までのいずれか１項に記載されたセンサユニット（１０）をプレート（２４）、特に自動車のフロントガラスに透明結合させる結合媒体（２２）において、
当該結合媒体（２２）は赤外光に対して実質的に不透過性である、
ことを特徴とする結合媒体。
【請求項９】
前記結合媒体（２２）は、接着剤が備え付けられている板または膜から成る、請求項７記載の結合媒体。
【請求項１０】
前記結合媒体（２２）はガス泡を回避する湾曲構造を有している、請求項７または８記載の結合媒体。
【請求項１１】
センサユニット（１０）をプレート（２４）、特に自動車のフロントガラスに結合させる光学的に透明な結合媒体（２２）、特に請求項７から９に記載の結合媒体の使用において、
前記結合媒体（２２）は赤外光に対して実質的に不透過性である、
ことを特徴とする、結合媒体の使用。
【請求項１２】
自動車の照明装置（１４）を自動的に制御するセンサユニット（１０）に入射する放射線をフィルタリングするフィルタ（２６）の使用において、
前記フィルタ（２６）は可視光に対して実質的に透過性であり、赤外光に対して実質的に不透過性である、
ことを特徴とする、フィルタの使用。
【請求項１３】
照明装置（１４）を制御する制御装置（１２）が設けられており、当該制御装置にはＩＲ−信号（ＩＲＳ）が供給可能であり、
当該ＩＲ−信号はセンサ（１６）によって測定された赤外光に対する尺度であり、
前記制御装置は前記センサ（１６）の信号（Ｓ）を前記ＩＲ−信号（ＩＲＳ）を考慮して評価する、請求項１から７までのいずれか１項記載のセンサユニット。
【請求項１４】
前記信号（Ｓ）およびＩＲ−信号（ＩＲＳ）にはそれぞれ値が割り当てられ、
前記信号（Ｓ）の値に前記ＩＲ−信号（ＩＲＳ）の値が、とりわけファクタ（Ｆ）を考慮して加えられる、請求項１３記載のセンサユニット。
【請求項１５】
前記制御装置（１２）は少なくとも１つの切り換え閾値を有しており、
当該切り換え閾値は前記ＩＲ−信号（ＩＲＳ）を考慮して変えられる、請求項１３または１４記載のセンサユニット。
【発明の詳細な説明】
【０００１】
従来技術
本発明は独立請求項の上位概念に記載の、照明装置を切り換えるためのセンサユニットと、この種のセンサユニットをプレート（Ｓｃｈｅｉｂｅ）に結合させる結合媒体と、結合媒体およびフィルタの使用に関する。
【０００２】
既に多数のこの種のセンサユニットが、例えばＤＥ１９９３３６４２Ａ１から公知である。ここで自動車の照明装置は、感光センサからの信号に依存して駆動制御される。これらは車両外の照明状態を検出するセンサを有する。これらのセンサには評価装置が接続されている。この評価装置内ではセンサの信号から、目下存在する照明状態の下で照明装置の切り換え状態を変化させる必要があるか否かが検出される。その後この評価に相応して照明装置はスイッチオンないしはスイッチオフされる。
【０００３】
発明の利点
独立請求項の特徴部分の構成を有する本発明によるセンサユニットは、次の利点を有する。すなわち切り換え特性、とりわけセンサユニットの個々のスイッチオンポイントおよびスイッチオフポイントが、赤外光をフィルタリング除去するフィルタ素子を前に設けること（Ｖｏｒｌａｇｅｒｕｎｇ）によって各段に改善されるという利点である。
【０００４】
従属請求項に記載された方法によって、独立請求項に記載された特徴部分の構成の有利な別の構成および改善が得られる。
【０００５】
特に有利には、このフィルタ素子は７５０ｎｍより長い波長を有する光をフィルタリング除去する。なぜならこれは肉眼の認識閾値を超えているからである。
【０００６】
さらに、このフィルタ素子に接着特性が備え付けられているのは有利である。なぜならこのフィルタ素子をそのようにして直接的に自動車のフロントガラスの内側または外側に接着することができるからである。
【０００７】
さらに特に有利には、このフィルタ素子にレンズ特性が装備されている。なぜならこのようにしてフィルタ特性が、通常の場合にはもともと必要であるレンズ特性と組み合わされるからである。
【０００８】
さらに、種々異なる方向からの光を検出する複数のセンサが設けられるのは有利である。この場合には種々異なる方向に対して、フィルタ素子の異なるフィルタリング除去閾値を設けることもできる。
【０００９】
さらに特に有利には、センサの前に光導電体（Ｌｉｃｈｔｌｅｉｔｅｒｋｏｅｒｐｅｒ）が配置される。この光導電体は結合媒体によってプレートに固着され、プレートまたは結合素子は赤外光、特に７５０ｎｍより長い波長を有する赤外光をフィルタリング除去する。これによって通常のセンサユニットに、補足的にでも赤外フィルタ層を設けることができる。
【００１０】
請求項８の特徴部分の構成を有する本発明による結合媒体は、次の利点を有する。すなわちセンサユニット用の赤外フィルタを極めて容易に送信器の前に配置することができ、例えば結合媒体の簡単な交換によって、存在しているセンサユニットの反応特性を改善することもできるという利点である。
【００１１】
ここで特に有利には結合媒体は、接着剤が付与されている板または膜から構成される。なぜならこのようにして結合媒体は自ら接着して、センサ装置をプレート上に保持することができるからである。
【００１２】
さらにここで結合素子が全体で湾曲構造を有しているのは有利である。なぜなら結合領域内でのガス泡ないしは気泡は妨害となる散乱を引き起こし、それがこのようにして容易に回避されるからである。当然、センサユニットも自身の取り付け側で僅かに湾曲され、これは同じ作用を生じさせる。
【００１３】
請求項１１記載の特徴部分の構成を有する、光学的に透明な結合媒体の使用は次の利点を有する。すなわち照明装置を自動的に制御するセンサユニットの反応特性が各段に改善されるという利点である。
【００１４】
請求項１２の特徴部分の構成を有する、放射線をフィルタリングするフィルタの使用は同じように次の利点を有する。すなわち照明装置を自動的に制御するセンサユニットの反応特性が、簡単でコストの低い方法によって各段に改善されるという利点である。
【００１５】
さらに有利には、センサユニットは照明装置を制御する制御装置を有しており、これは照明装置のスイッチオンポイントおよびスイッチオフポイントを、別個に測定されたＩＲ−信号を考慮して変化させる。ＩＲ信号はしばしば、既に空調調整部または雨センサによって供給されているので、センサユニットの切り換え特性をさらなるコストなしに改善することができる。
【００１６】
本発明の特に有利な構成では、光センサの信号およびＩＲ信号にはそれぞれ値が割り当てられ、信号の値にＩＲ信号の値が加えられる。ここで有利にはファクタが考慮されて、電子的なフィルタ作用が生じる。
【００１７】
同じように有利には、制御装置の切り換え閾値はＩＲ信号を考慮して高められるまたは低められる。
【００１８】
図面
本発明の実施例を図示し、以下の明細書でより詳細に説明する。
【００１９】
図１には本発明のセンサユニットが示されており、
図２には電磁放射の放射線スペクトルが示されており、
図３にはセンサの信号特性が例として示されている。
【００２０】
実施例の説明
図１には本発明によるセンサユニット１０が図示されている。
【００２１】
このセンサユニット１０は、実質的に制御装置１２並びにセンサ１６からなる。ここでこの制御装置は照明装置１４を制御することができ、センサ１６は制御装置１２と接続され、信号（Ｓ）をこれに出力する。センサとしては、例えばＩｎｆｉｎｅｏｎ社の標準の受信器ＢＰＷ２４Ｓを使用することができる。
【００２２】
さらにセンサ１６の前には、光導電体１８が配置される。この光導電体は結像構造体１９を有する。この結像構造体は、例えばレンズまたはホログラムとして構成される。センサ１６はほぼこの構造体１９の光軸上に配設されており、共通の基板２０によって支持される。この基板には、制御装置１２も配置される。当然、グローバルな周囲の光を検出するのに構造体１９は必要ではない。しかし例えば極度に長い焦点距離ｆから無限焦点距離までを有するレンズを使用してもよい。
【００２３】
結合媒体２２によって、センサユニット１０はプレート２４、例えば自動車のフロントガラスに固定される。結合媒体２２はここで光導電体１８とプレート２４との間に位置する。通常この光導電体は、簡易化のためにここでは示されていない、センサユニット１０のケーシングを閉鎖する。
【００２４】
プレート２４内にはＩＲ−膜２６が配置されている。このＩＲ−膜は、７００ｎｍより長い波長を有する赤外線を反射する。このようにして非常に僅かな入射赤外線がセンサ１６の方向に転送される、また理想的には転送されない。
【００２５】
当然、ＩＲ−膜を結合媒体２２内またはその表面に配置することもできる。とりわけ、結合媒体２２を赤外線に対して比較的不透過性である材料から形成することも可能である。
【００２６】
別の方法は、光導電体１８を赤外光に対して不透過性の材料から製造する、または少なくとも、入射したビームをセンサ１６上にフォーカシングする光導電体１８の領域を赤外線不透過性に構成することである。このために例えば射出成型方法の下で相応のフィルタ分子が添加されるか、または複数のコンポーネントを有する射出成型方法が行われる。
【００２７】
非常に簡単な別の実施方法は、センサ１６上に直接的に赤外フィルタを被着させること、またはこの直前に取り付けることである。特に赤外に反応しないセンサ１６を使用することもできる。
【００２８】
光導電体１８上に赤外線不透過性層を被着することもできる。
【００２９】
本発明の別の構成では、赤外線不透過性の膜をプレート２４上にセンサユニット１０の領域内に接着するか、または他の方法、例えば粘着（Ａｄｈａｅｓｉｏｎ）によって固着することもできる。
【００３０】
当然、これまでの段落に記載された方法は任意に相互に組合せ可能である。
【００３１】
材料、その配置および透過スペクトルを適切に選択することによって、ＩＲ−閾値を正確に設定することができる。
【００３２】
さらにセンサユニット１０を雨センサ内に一体化することができる。典型的に、雨センサの領域内でプレート２４内の赤外線阻止層（サンプロテクト層）はあけておかれる。なぜなら多数の雨センサが降水を検出するために赤外光を使用するからである。この場合にはセンサユニット１０の領域で赤外線阻止層を再び窓形状に形成することができる、または雨センサのジオメトリに応じて、センサユニットを有する雨センサを赤外線阻止層の境界の領域に配置することができる。
【００３３】
他の構成では結合媒体２２はセンサユニットの領域内で赤外線を阻止するように構成され、雨センサの領域では赤外光を通す。このために結合媒体２２は例えば、２つまたは複数のコンポーネントを有する射出成型方法から製造される。
【００３４】
図２には、電磁放射の放射線ダイアグラムが示されている。可視放射線すなわち光線は、約４００ｎｍから７５０ｎｍの波長に達する。赤外線は約７５０ｎｍで始まり、０． １ｍｍの波長まで達する。日光は可視放射線の他にも多数の他の成分を有する。例えば大部分は赤外線である。
【００３５】
本発明の別の構成では、赤外線の作用を電子的な方法で補償することもできる。このための制御装置１２にはＩＲ−信号ＩＲＳが供給される。ここでＩＲ−信号ＩＲＳおよびセンサ１６の信号Ｓにはそれぞれ値が割り当てられる。ＩＲ−信号ＩＲＳの値およびファクタＦから、乗算によってオフセットが計算される。このオフセットは、信号Ｓに割り当てられた値に加えられる。
【００３６】
このようにして生じた信号特性は図３に示されている。ここで信号Ｓおよび補正された信号は時間軸上に例として示されている。ここでＩＲ−信号ＩＲＳは示された時間部分では一定である。長い時間にわたって当然これは変化する。
【００３７】
当然、ＩＲ−信号を考慮する他のアルゴリズムも可能である。例えば切換閾値または制御装置１２のスイッチオンポイントおよび／またはスイッチオフポイントをあらわす他のパラメータを、ＩＲ−信号を考慮して変化させることができる。
【００３８】
ＩＲ−信号ＩＲＳは特別な受信器、例えばＢＰＷ３４（Ｉｎｆｉｎｅｏｎ社の日光遮断フィルタを有するフォトダイオード）によって生成される。このような受信器はＩＲ−信号ＩＲＳを出力する。このＩＲ−信号ＩＲＳは、自身に入射する赤外線に対する尺度である。しかし雨センサ内にはしばしば、この種のまたはこのようなフォトダイオードが既に組み込まれているので、適切なＩＲ−信号ＩＲＳが既に使用可能である。
【００３９】
基本的には種々異なるスペクトル領域（例えば赤外、赤、緑、青、紫外）内および異なる空間方向（Ｒａｕｍｒｉｃｈｔｕｎｇｅｎ）における周囲の明るさを分けて測定することができる。種々異なる測定値は別個に重み付けされて、人間の認識閾値により良好に合わされる。これによって照明装置のスイッチオンポイントおよびスイッチオフポイントは最適に車両のドライバに適応される。重み付けファクタは車両のドライバ自身によっても再調整され、センサユニットの感度を個々の要望に設定することができる。この種の設定は例えば中央電子回路を介して、従って例えばドライバーインターフェースのタッチスクリーンによって行われる。このインターフェースは例えば空調制御部、ナビゲーションシステムおよびこの関係の当業者に既知のコンポーネントも有する。
【図面の簡単な説明】
【図１】
本発明のセンサユニットの略図である。
【図２】
電磁放射の放射線スペクトルムをあらわす図である。
【図３】
センサの信号特性を例としてあらわす略図である。
【図２】
2004532766.tif 000003
【国際公開パンフレット】
2004532766.tif 000004
2004532766.tif 000005
2004532766.tif 000006
2004532766.tif 000007
2004532766.tif 000008
2004532766.tif 000009
2004532766.tif 000010
2004532766.tif 000011
2004532766.tif 000012
2004532766.tif 000013
2004532766.tif 000014
2004532766.tif 000015
2004532766.tif 000016
2004532766.tif 000017
2004532766.tif 000018
2004532766.tif 000019
2004532766.tif 000020
【国際公開パンフレット（コレクトバージョン）】
2004532766.tif 000021
2004532766.tif 000022
【国際調査報告】
2004532766.tif 000023
2004532766.tif 000024
2004532766.tif 000025
2004532766.tif 000026
2004532766.tif 000027
2004532766.tif 000028